(57)【要約】【課題】光ディスク装置において、ＨＤＤの増設を容易に行うことができる新規な構造を提供すること及び増設したＨＤＤと光ディスクドライブが互いの振動で悪影響を及ぼし合うことのないようにすること。【解決手段】筐体と、光学ドライブと、ＨＤＤと、前記ＨＤＤと前記光学ドライブとの間に介在して前記光学ドライブ及び前記ＨＤＤが取り付けられる取付構造体と、前記取付構造体を前記筐体の内壁から離間した位置で支持する支持部と、を備え、前記取付構造体の共振周波数を前記取付構造体の共振周波数を前記ＨＤＤ及び前記光学ドライブの最大回転数に対応する周波数よりも高い周波数に設定した。【選択図】図１
2014154194.tif 000002
【特許請求の範囲】
【請求項１】
筐体と、
光学ドライブと、
ＨＤＤと、
前記ＨＤＤと前記光学ドライブとの間に介在して前記光学ドライブ及び前記ＨＤＤが取り付けられる取付構造体と、
前記取付構造体を前記筐体の内壁から離間した位置で支持する支持部と、
を備え、
前記取付構造体の共振周波数を前記取付構造体の共振周波数を前記ＨＤＤ及び前記光学ドライブの最大回転数に対応する周波数よりも高い周波数に設定したディスク装置。
【請求項２】
前記取付構造体には前記取付構造体の剛性を高める補強部が形成される請求項１に記載の光ディスク装置。
【請求項３】
前記補強部は前記取付構造体の周縁部が折り曲げられて形成される請求項１又は請求項２に記載の光ディスク装置。
【請求項４】
前記取付構造体は複数のビス孔を有し、前記ＨＤＤ及び前記光学ドライブは前記複数のビス孔を介してビス固定され、前記補強部は前記複数のビス孔の周辺に絞り加工を施して形成される請求項１〜請求項３のいずれか１項に記載の光ディスク装置。
【請求項５】
前記ＨＤＤと前記取付構造体との間及び／又は前記光学ディスクと前記取付構造体との間にクッション材を介在させる請求項１〜請求項４のいずれか１項に記載の光ディスク装置。
【請求項６】
前記ＨＤＤは前記取付構造体を前記内壁に取り付けた際に、前記内壁と前記取付構造体との間に配されるように前記取付構造体に取り付けられる請求項１〜請求項５のいずれか１項に記載の光ディスク装置。
【発明の詳細な説明】
【技術分野】
【０００１】
本発明は、光ディスク装置に関する。
【背景技術】
【０００２】
近年、テレビ番組等のコンテンツを記憶するためのハードディスクドライブ（以下、本明細書及び特許請求の範囲において「ＨＤＤ」の略称を用いる）を内蔵し、且つ、ＤＶＤやＢＤ等の光ディスクの記録・再生を行う光学ドライブを内蔵する光ディスク装置が普及している。このような光ディスク装置によりユーザは所望の番組をＨＤＤ内に保存して任意のタイミングでＨＤＤ内の録画番組を再生することができる。
【０００３】
ところでＨＤＤの空き容量（記憶容量から使用容量を引いた容量）は番組を保存することによって減っていく。番組の録画予約は番組表から容易に行うことができるため、ユーザは様々な番組に録画予約を設定することも多い。しかしながらＨＤＤの記憶容量が小さいと録画予約を設定するためにＨＤＤ内の録画番組を削除しなければならず、未視聴の録画番組や長期保存したい録画番組まで削除しなければならないという問題が発生しうる。
【０００４】
また近年は地上デジタル放送の全チャンネルを２４時間録画する光ディスク装置（例えばＢＤ／ＤＶＤレコーダ）が販売されている。そのような光ディスク装置では、ＨＤＤの空き容量が少なくなると古い録画番組から順に自動的に削除されるようになっている。
【０００５】
録画番組を長時間保存するためには、記憶容量を増加させる必要がある。記憶容量を増加させるために、複数のＨＤＤを装置内に設けた光ディスク装置も販売されている。
【０００６】
光ディスク装置に限らず、電子機器では筐体の内部に多数の要素を配置することを求められることが多い。筐体の大型化を極力回避しつつそのような要請に応えるため、様々な工夫がなされている。特許文献１に記載された構成もその一例である。特許文献１に記載された構造では、ＨＤＤを支持するブラケットに脚部を設け、その脚部の高さ分だけＨＤＤが回路基板上に浮くようにされている。このようにしてＨＤＤの下に生じたスペースにデジタル回路部品を実装し、スペースの有効活用を図っている。
【先行技術文献】
【特許文献】
【０００７】
【特許文献１】特開平１１−７３２４０号公報
【発明の概要】
【発明が解決しようとする課題】
【０００８】
本発明は、光ディスク装置において、ＨＤＤの増設を容易に行うことができる新規な構造を提供することを目的とする。また、増設したＨＤＤと光ディスクドライブが互いの振動で悪影響を及ぼし合うことのないようにすることを目的とする。
【課題を解決するための手段】
【０００９】
上記目的を達成するために本発明の光ディスク装置は、筐体と、光学ドライブと、ＨＤＤと、前記ＨＤＤと前記光学ドライブとの間に介在して前記光学ドライブ及び前記ＨＤＤが取り付けられる取付構造体と、前記取付構造体を前記筐体の内壁から離間した位置で支持する支持部と、を備え、前記取付構造体の共振周波数を前記取付構造体の共振周波数を前記ＨＤＤ及び前記光学ドライブの最大回転数に対応する周波数よりも高い周波数に設定したことを特徴としている。
【００１０】
また上記構成の光ディスク装置において、前記取付構造体には前記取付構造体の剛性を高める補強部が形成されることが望ましい。
【００１１】
また上記構成の光ディスク装置において、前記補強部は前記取付構造体の周縁部が折り曲げられて形成されることが望ましい。
【００１２】
また上記構成の光ディスク装置において、前記取付構造体は複数のビス孔を有し、前記ＨＤＤ及び前記光学ドライブは前記複数のビス孔を介してビス固定され、前記補強部は前記複数のビス孔の周辺に絞り加工を施して形成されることが望ましい。
【００１３】
また上記構成の光ディスク装置において、前記ＨＤＤと前記取付構造体との間及び／又は前記光学ディスクと前記取付構造体との間にクッション材を介在させることが望ましい。
【００１４】
また上記構成の光ディスク装置において、前記ＨＤＤは前記取付構造体を前記内壁に取り付けた際に、前記内壁と前記取付構造体との間に配されるように前記取付構造体に取り付けられることが望ましい。
【発明の効果】
【００１５】
本発明によれば、光学ドライブとＨＤＤは共通の取付構造体に取り付けられて筐体内に配される。従って光学ドライブ用取付構造体とＨＤＤ用取付構造体を個々に設けるのに比べて筐体内のスペースを有効活用でき、筐体の大型化を抑制することができる。また、取付構造体を共通化することで必要な取付構造体の数が減少し、金型代及び部品コストが削減できる。また、共通の取付構造体に光学ドライブとＨＤＤを取り付けると互いの振動が悪影響を及ぼし合う懸念が生じるが、取付構造体の共振周波数を光学ドライブ及びＨＤＤの回転数に対応する周波数領域外に設定したので、光学ドライブとＨＤＤ内のディスクが回転することによる取付構造体の共振が抑制される。従って取付構造体の共振振動が光学ドライブ及びＨＤＤに伝わって悪影響を及ぼすことがない。
【図面の簡単な説明】
【００１６】
【図１】本発明の光ディスク装置の内部構成を示す平面図
【図２】ブラケットに光学ドライブとＨＤＤを取り付けた状態を示す平面斜視図
【図３】ブラケットに光学ドライブとＨＤＤを取り付けた状態を示す背面斜視図
【図４】ブラケットを示す裏面図
【図５】ブラケットを示す正面図
【図６】ブラケットを示す背面図
【図７】ブラケットを示す右側面図
【図８】ブラケットを示す左側面図
【図９】ブラケットを示す背面側面図
【図１０】ＨＤＤを示す平面図
【図１１】光学ドライブを示す平面図
【図１２】光学ドライブを示す側面図
【発明を実施するための形態】
【００１７】
[第１実施形態]
以下に本発明の光ディスク装置について図面を参照して説明する。なお、以下の説明において個々の数値は例示であって各数値に限定されるものではない。図１は本発明の光ディスク装置の内部構成を示す平面図である。図２はブラケットに光学ディスクとＨＤＤを取り付けた状態を示す平面斜視図である。図３はブラケットに光学ディスクとＨＤＤを取り付けた状態を示す背面斜視図である。光ディスク装置１は筐体２を備える。筐体２はボトムシャーシ２１にカバーシャーシ（不図示）を取り付けて構成される。図１は筐体２からカバーシャーシを取り外した状態を示している。また、筐体２の前面にはフロントパネル２２が配され、フロントパネル２２には後述する光学ドライブ６に光ディスクを挿脱するための開口（不図示）が形成される。
【００１８】
筐体２内には基板３が設けられる。基板３は一端が光学ドライブ６やＨＤＤ７（本実施形態の光ディスク装置１は３個のＨＤＤ７＃１〜７＃３を備え、ＨＤＤ７＃１〜７＃３を区別する必要がないときはＨＤＤ７と称することもある。）のコネクタに接続される接続ケーブルの他端が接続可能な複数のコネクタを備える。例えば接続ケーブルＣ１の他端は光学ドライブ６に接続され、接続ケーブルＣ２の他端はＨＤＤ７のコネクタ（光学ドライブ６のコネクタは不図示、ＨＤＤ７のコネクタは図２参照）に接続される。なお、光ディスク装置１は複数の基板３を備えていてもよく、各接続ケーブルは異なる基板に備えられるコネクタに接続されることとしてもよい。例えば光学ドライブ６及びＨＤＤ７＃１が接続される基板とＨＤＤ７＃２及びＨＤＤ７＃３が接続される基板が異なる基板であることとしてもよい。
【００１９】
また、筐体２内には第１収納部４、第２収納部５が設けられる。第１収納部４及び第２収納部５は筐体２内で前面側（フロントパネル２２側）に左右に並設され、第２収納部５の背面側に基板３が設けられる。第１収納部４には光学ドライブ６、ＨＤＤ７＃１（図１では光学ドライブ６と内壁２１ａの間に配されるため不図示、図２及び図３参照）が上下に配され、第２収納部５にはＨＤＤ７＃２、７＃３が左右に配される。
【００２０】
光学ドライブ６はＣＤ、ＤＶＤ、ＢＤ等の光ディスクにデータを書き込み、或いは、光ディスクからデータを読み出す装置である。本実施形態の光学ドライブ６は最大回転数が９，０００ｒｐｍである。
【００２１】
ＨＤＤ７は放送局が放送する番組や、インターネット上で配信される番組を記憶する。本実施形態のＨＤＤ７は３．５インチのＨＤＤであって、最大回転数は６，０００ｒｐｍである。
【００２２】
第１収納部４には上述したように光学ドライブ６とＨＤＤ７＃１が上下に配される。より詳説すると、第１収納部４はブラケット８が取り付けられたときにブラケット８によって上下二つの空間に仕切られる。図４はブラケットを示す裏面図である。図５はブラケットを示す正面図である。図６はブラケットを示す背面図である。図７はブラケットを示す右側面図である。図８はブラケットを示す左側面図である。図９はブラケットを示す背面斜視図である。図１０はＨＤＤを示す平面図である。図１１は光学ドライブを示す平面図である。
【００２３】
ブラケット８は光学ドライブ６及びＨＤＤ７＃１を筐体の内部で支持するフレーム構造である。光学ドライブやＨＤＤは一般的に夫々個別のブラケットにより筐体の内部で支持されるが、本実施形態の光学ドライブ６及びＨＤＤ７＃１は共通のブラケット８により筐体の内部で指示される。ブラケット８は金属板からなる構造体であって、平面形状が略矩形である。平面部８１と、平面部８１の周縁部が平面部８１に対して下方向（ボトムシャーシ２１の内壁２１ａ方向）に略直角に折れ曲がって形成される折曲部８２＃１〜８２＃４を備える。折曲部８２＃２にはＨＤＤ７＃１のコネクタ７０を露出させる開口が形成され、当該開口を介して接続ケーブルＣ２の一端をＨＤＤ７＃１のコネクタに接続することができる。
【００２４】
折曲部８２＃２〜８２＃４の端部には支持部８３＃１〜８３＃４が延設形成される。本実施形態において平面部８１、折曲部８２＃２〜８２＃４、支持部８３＃１〜８３＃４は一体に成型される。以下、折曲部８２＃１〜８２＃４、支持部８３＃１〜８３＃４を区別する必要がないときは夫々折曲部８２、支持部８３と称することもある。なお、本実施形態では折曲部８２＃２の端部に支持部８３＃１が形成され、折曲部８２＃３の端部に支持部８３＃２及び８３＃４が形成され、折曲部８２＃４の端部に支持部８３＃３が形成されており、折曲部８２＃１には支持部が形成されていないが、どの折曲部８２に何個支持部を形成するかは限定されるものではなく、各折曲部に１個ずつ支持部を形成することとしてもよい。
【００２５】
支持部８３＃１〜８３＃４は先端が折れ曲がって略Ｌ字状に形成され、先端部８３１＃１〜８３１＃４には貫通孔８３２＃１〜８３２＃４が形成される。貫通孔８３２＃１〜８３２＃４は夫々ボトムシャーシ２１の内壁２１ａに形成されるビス孔（不図示）に重ねられてビスが螺合され、ブラケット８がボトムシャーシ２１の内壁２１ａに固定される。
【００２６】
平面部８１は貫通孔８４＃１〜８４＃４、ビス孔８４＃５〜８４＃８を有する。貫通孔８４＃１〜８４＃４はＨＤＤ７＃１が有するビス孔７１＃１〜７１＃４に重ねられてビスが螺合され、ＨＤＤ７＃１がブラケット８に取り付けられる。ビス孔８４＃５〜８４＃８は光学ドライブ６が有する貫通孔６１＃１〜６１＃４に重ねられてビスが螺合され、光学ドライブ６がブラケット８に取り付けられる。
【００２７】
なお、ビスによる部材の取付け構造はこれに限られるものではない。すなわち本実施形態では全てのビス孔の中心軸の軸方向と光学ドライブ６、ブラケット８、ＨＤＤ７の積層方向とが平行であることとしているが、例えば、光学ドライブ６を取り付けるためのビス孔の中心軸の軸方向をドライブ６、ブラケット８、ＨＤＤ７の積層方向と垂直としてもよい。すなわち図１２に示すようにＨＤＤ７の側面にビス孔７１（図１２ではＨＤＤ７＃１の１の側面に形成される７１＃５〜７１＃７のみを示しているが他の側面にも同様にビス孔が形成されることとしてもよい）を有するときは例えば折曲部８２（例えば折曲部８２＃１）に当該ビス孔７１に対応するビス孔を形成して側方からＨＤＤ７＃１をブラケット８に取り付けることとしてもよい。
【００２８】
光学ドライブ６は平面部８１の一方の面に取り付けられ、ＨＤＤ７＃１は平面部８１の他方の面に取り付けられる。平面部８１はＨＤＤ７＃１と光学ドライブ６の間に介在してＨＤＤ７＃１及び光学ドライブ６が取り付けられるものであればよく、平面部８１のいずれの面に光学ドライブ６、ＨＤＤ７＃１を取り付けるかは限定されるものではないが、ブラケット８をボトムシャーシ２０の内壁２０ａに取り付けた際に内壁２０ａとブラケット８との間にＨＤＤ７＃１が配されるようにすることが望ましい。
【００２９】
一般的にＨＤＤ７＃１よりも光学ドライブ６のほうが発熱量が多いからである。。ブラケット８をボトムシャーシ２０の内壁２０ａに取り付けた際に内壁２０ａとブラケット８との間にＨＤＤ７＃１が配されるようにすることで、発熱量の多い光学ドライブ６をＨＤＤ７＃１よりも広い空間に配することができる。これにより、光学ドライブ６が自身の発熱により動作不良になるのを防ぐことができる。
【００３０】
また、光ディスク装置１が図１に示すような横置きタイプの光ディスク装置であれば、光学ドライブ６を平面部８１の上面に取り付け、ＨＤＤ７＃１を平面部８１の下面に取り付けることが望ましい。これにより設置面（例えば光ディスク装置１を載置する床面や棚板）に対して光ディスクの挿脱位置がより高い位置になり、光学ドライブ６に対する光ディスクの挿脱性を確保することができる。
【００３１】
上述したようにブラケット８は支持部８３を有し、ブラケット８がボトムシャーシ２１の内壁２１ａに取り付けられたときに、平面部８１をボトムシャーシ２１の内壁２１ａから離間した位置で支持する。平面部８１の上面に取り付けられた光学ドライブ６は図示しないカバーシャーシの内壁に接触しないように保持され、平面部８１の下面に取り付けられたＨＤＤ７＃１はボトムシャーシ２１の内壁２１ａに接触しないように保持される
【００３２】
光学ドライブ６はフロントパネル２２の開口を介して光ディスクが挿脱可能となるように平面部８１に取り付けられる。また、ＨＤＤ７＃１はＨＤＤ７＃１のコネクタと基板３のコネクタとが接続ケーブルＣ２を介して接続容易となるように平面部８１に取り付けられることが望ましい。本実施形態でＨＤＤ７＃１はコネクタがＨＤＤ７＃２、７＃３の方向に向くようにＨＤＤ７＃２、７＃３に対して９０度回転させた状態で平面部８１に取り付けられている。
【００３３】
ところで光学ドライブ６とＨＤＤ７＃１は共に光ディスクを回転させるためのスピンドルモータ（不図示）を有し、動作時にスピンドルモータが稼働すると振動が生ずる。その際、ブラケット８が光学ドライブ６又はＨＤＤ７＃１の振動に共振するとブラケット８が大きく揺れる可能性がある。
【００３４】
ブラケット８が大きく揺れると光学ドライブ６やＨＤＤ７＃１自体が大きく揺れる。近年、光学ドライブやＨＤＤはディスクの回転速度が非常に高速化されており、これによって読込速度や書込速度が向上しているが、その反面高精度の制御が要求されるため振動に弱く、光学ドライブ６やＨＤＤ７＃１自体が揺れると動作環境が不安定となって動作不良が起こる可能性がある。
【００３５】
また、ブラケット８が大きく揺れると、光ディスク装置１自体が大きく揺れ、がたつき音が大きくなる可能性がある。そこで本実施形態ではブラケット８の平面部８１の共振周波数を光学ドライブ６又はＨＤＤ７＃１の最大回転数に対応する周波数よりも大きくすることでブラケット８と光学ドライブ６、ＨＤＤ７＃１の共振を回避している。
【００３６】
上述したように光学ドライブ６の最大回転数は６，０００ｒｐｍであり、ＨＤＤ７＃１の最大回転数は９，０００ｒｐｍである。つまり、光学ドライブ６、ＨＤＤ７＃１の最大回転数は夫々１００ｒｐｓ、１５０ｒｐｓであり、これに対応する周波数は夫々１００Ｈｚ、１５０Ｈｚである。ブラケット８が光学ドライブ６及びＨＤＤ７＃１の振動に共振することを回避するには、ブラケット８の共振周波数を光学ドライブ６及びＨＤＤ７＃１の最大回転数に対応する周波数より大きくすればよく、すなわち１５０Ｈｚより大きくすればよい。
【００３７】
ブラケット８の共振周波数はブラケット８の剛性に応じて定まる。ブラケット８の剛性は材質、形状等によって定まるものであるが、本実施形態では特にブラケット８に補強部を形成してブラケット８の剛性を高め、これによってブラケット８の共振周波数を光学ドライブ６及びＨＤＤ７＃１の共振周波数よりも大きくしている。補強部はブラケット８の剛性を高めるものであれば特に限定されないが、以下に補強部の例を説明する。
【００３８】
本実施形態ではブラケット８の剛性を高める第１の補強部として折曲部８２が形成されている。折曲部８２は上述したように平面部８１の周縁部が折り曲げられて形成されており、当該構成によりブラケット８の剛性が高まる。図２及び図３に示すように平面部８１の四辺全てを折り返すことで最もブラケット８の剛性が高まるが、四辺全てを折り返さなくても十分な剛性が確保できる場合には四辺全てを折り返さないこととしてもよい。例えばＨＤＤ７＃１のコネクタ７０を露出させる開口が形成される折曲部８２＃２を形成しないこととしてもよい。
【００３９】
また、本実施形態ではブラケット８の剛性を高める第２の補強部としてビス孔８４＃１〜８４＃８の周辺に絞り加工が施されて円錐台状部（絞り）８５＃１〜８５＃３が形成されており、当該構成によりブラケット８の剛性が高まる。円錐台状部の数や大きさは特に限られるものではなく、共振周波数に応じて適宜変更することとしてもよい。
【００４０】
本実施形態ではブラケット８の剛性を高めるために折曲部８２＃１〜８２＃４及び円錐台状部８５＃１〜８５＃３を形成しているが、一方又は双方を備えなくと十分な剛性が確保でき、ブラケット８の共振周波数が光学ドライブ６及びＨＤＤ７＃１の共振周波数より高い場合には、一方又は双方を備えない構成としてもよい。
【００４１】
さらにブラケット８、光学ドライブ６、及びＨＤＤ７＃１の三者間の振動伝達を抑制するために、光学ドライブ６とブラケット８の間、及び／又は、ＨＤＤ７＃１とブラケット８の間にクッション材を介在させることとしてもよい。
【００４２】
また、平面部８１、折曲部８２、支持部８３は一体成型されてブラケット８を構成することとしているが、支持部８３は別部材としてもよい。
【００４３】
第２収納部５には上述したようにＨＤＤ７＃２〜７＃３が並設される。
【００４４】
本実施形態によれば、光学ドライブとＨＤＤは共通の取付構造体に取り付けられて筐体内に配される。従って光学ドライブ用取付構造体とＨＤＤ用取付構造体を個々に設けるのに比べて筐体内のスペースを有効活用でき、筐体の大型化を抑制することができる。
【００４５】
また、取付構造体を共通化することで必要な取付構造体の数が減少し、金型代及び部品コストが削減できる。また、共通の取付構造体に光学ドライブとＨＤＤを取り付けると互いの振動が悪影響を及ぼし合う懸念が生じるが、取付構造体の共振周波数を光学ドライブ及びＨＤＤの回転数に対応する周波数領域外に設定したので、光学ドライブとＨＤＤ内のディスクが回転することによる取付構造体の共振が抑制される。従って取付構造体の共振振動が光学ドライブ及びＨＤＤに伝わって悪影響を及ぼすことがない。また、光学ドライブとＨＤＤを筐体外でブラケットに取り付けておき、そのブラケットを筐体に取り付ければ良いので、組立作業が楽になる
【００４６】
また、ブラケットの剛性を高める補強部として、ブラケットの周縁部が折り曲げられてなる折曲部が形成される。これによりブラケットの剛性が高まり、ブラケットの共振周波数をより大きくすることができる。従って、光学ドライブやＨＤＤの最大回転数に応じて、ブラケットの共振周波数が光学ドライブやＨＤＤの共振周波数よりも大きくなるように折曲部を形成することでＨＤＤの増設による振動問題の発生を防ぐことができる。
【００４７】
また、ブラケットの剛性を高める補強部として、ブラケットのビス孔の周辺に絞り加工が施されてなる円錐台状部が形成される。これによりブラケットの剛性が高まり、ブラケットの共振周波数をより大きくすることができる。従って、光学ドライブやＨＤＤの最大回転数に応じて、ブラケットの共振周波数が光学ドライブやＨＤＤの共振周波数よりも大きくなるように折曲部を形成することでＨＤＤの増設による振動問題の発生を防ぐことができる。
【００４８】
また、光学ドライブとブラケットの間、ブラケットのＨＤＤの間にクッション材を介在させることにより光学ドライブ及びＨＤＤが稼働する際に生じる振動がブラケットに伝わりにくくなり、ブラケットの共振を抑制することができる。
【００４９】
また、ＨＤＤはブラケットをボトムシャーシの内壁に取り付けた際に、内壁とブラケットとの間に配されるようにブラケットに取り付けられる。これにより光学ドライブに比べて発熱量が少ないＨＤＤをブラケットと内壁の間の狭い空間に配し、ＨＤＤに比べて発熱量が多い光学ドライブを広い空間に配するので光学ドライブの稼働により生ずる熱が光学ドライブ自身や他の部品に与える影響を最小限にとどめることができる。
【００５０】
加えて、横置きタイプの光ディスク装置ではブラケットの上面に光学ドライブが取り付けられることで、床面や棚板等の設置面に対して光学ディスクの挿脱位置がより高い位置になるので、光学ドライブに対する光ディスクの挿脱性を確保することができる。
【符号の説明】
【００５１】
１      光ディスク装置
２      筐体
３      基板
４      第１収納部
５      第２収納部
６      光学ドライブ
７      ハードディスクドライブ（ＨＤＤ）
８      ブラケット
２１    ボトムシャーシ
２１ａ  内壁
６１    ビス孔
７０    コネクタ
７１    ビス孔
８１    平面部
８２    折曲部
８３    支持部
８４    ビス孔
８５    円錐台状部
【図２】
2014154194.tif 000003
【図１】
2014154194.tif 000004
【図３】
2014154194.tif 000005
【図４】
2014154194.tif 000006
【図５】
2014154194.tif 000007
【図６】
2014154194.tif 000008
【図７】
2014154194.tif 000009
【図８】
2014154194.tif 000010
【図９】
2014154194.tif 000011
【図１０】
2014154194.tif 000012
【図１１】
2014154194.tif 000013
【図１２】
2014154194.tif 000014